(57)【要約】  大判新聞判型において、周方向で３つの印像（１２，１２′，１２′′′）を支持している印像キャリヤ（２２，１２２）を有する、大判新聞印刷機（１０）が提供される。印像キャリヤ（２２，１２２）は３つの印像（１２，１２′，１２′′′）をウェブに転写する。大判新聞印刷機（１０）は、ウェブ（１００）に縦折り（９６）を提供しかつウェブ（１００）を大判新聞ページに断裁する（１５０）ための折り装置（８０）も有している。折り装置（８０）は、大判新聞ページを中央からずれたところで横折りする胴（１７０）を有している。ウェブオフセット大判新聞印刷機も提供される。方法も提供される。
2011519759.tif 000002
【特許請求の範囲】
【請求項１】
大判新聞印刷機において、
大判新聞判型で一周に３つの印像を有している印像キャリヤが設けられており、
該印像キャリヤが３つの印像をウェブに転写するようになっており、
ウェブを縦折りしかつウェブを大判新聞ページに断裁する折り装置が設けられており、該折り装置が、大判新聞ページを中央からずれた位置において横折りする胴を有することを特徴とする、大判新聞印刷機。
【請求項２】
前記折り装置が、３つのセクションを収集することができる収集折り装置であり、折り胴がくわえ装置であり、各セクションが３つの印像のうちの１つから得られ、３つの印像が互いに異なる、請求項１記載の大判新聞印刷機。
【請求項３】
収集折り装置が、２つのセクションを収集することができる、請求項２記載の大判新聞印刷機。
【請求項４】
折り装置が、３つのセクションを収集することができるロータリブレード折り装置であり、各セクションが、３つの印像のうちの１つから得られ、３つの印像が互いに異なる、請求項１記載の大判新聞印刷機。
【請求項５】
折り装置が、３つの印像のそれぞれが同じである場合にストレートモードで運転することができるくわえ折り装置である、請求項１記載の大判新聞印刷機。
【請求項６】
折り装置が、３つの印像のそれぞれが同じである場合にストレートモードで運転することができるロータリブレード折り装置である、請求項１記載の大判新聞印刷機。
【請求項７】
印像キャリヤが、４２〜５０インチの円周を有する、請求項１記載の大判新聞印刷機。
【請求項８】
ウェブオフセット大判新聞印刷機において、
少なくとも１つの刷版を支持する版胴が設けられており、該版胴が、大判新聞判型で一周に少なくとも３つの印像を支持しており、
少なくとも１つのブランケットを支持するブランケット胴が設けられおり、前記少なくとも１つのブランケットが、少なくとも３つの印像をウェブに印刷するためにウェブに接触するようになっており、
ウェブを縦折りしかつ該ウェブを大判新聞に断裁するための折り装置が設けられており、該折り装置が、大判新聞を中央からずれた位置において横折りする胴を有していることを特徴とする、ウェブオフセット大判新聞印刷機。
【請求項９】
少なくとも１つの刷版が、３つの印像が形成された１つの刷版である、請求項８記載のウェブオフセット大判新聞印刷機。
【請求項１０】
版胴が、３つの刷版を支持する刷版三枚型版胴である、請求項８記載のウェブオフセット大判新聞印刷機。
【請求項１１】
３つの刷版のそれぞれに、１つの印像が形成されている、請求項１０記載のウェブオフセット大判新聞印刷機。
【請求項１２】
折り装置が、３つのセクションを収集することができる収集折り装置であり、折り胴がくわえ装置であり、各セクションが３つの印像のうちの１つから得られ、３つの印像が互いに異なる、請求項８記載のウェブオフセット大判新聞印刷機。
【請求項１３】
収集折り装置が、２つのセクションを収集することができる、請求項１２記載のウェブオフセット大判新聞印刷機。
【請求項１４】
折り装置が、３つのセクションを収集することができるロータリブレード折り装置であり、各セクションが３つの印像のうちの１つから得られ、３つの印像が互いに異なる、請求項８記載のウェブオフセット大判新聞印刷機。
【請求項１５】
ロータリブレード折り装置が、２つのセクションを収集することができる、請求項１４記載のウェブオフセット大判新聞印刷機。
【請求項１６】
折り装置が、３つの印像のそれぞれが同じである場合にストレートモードで運転することができるくわえ折り装置である、請求項８記載のウェブオフセット大判新聞印刷機。
【請求項１７】
折り装置が、３つの印像のそれぞれが同じである場合にストレートモードで運転することができるロータリブレード折り装置である、請求項８記載のウェブオフセット大判新聞印刷機。
【請求項１８】
版胴が、約４２〜約５０インチの円周を有する、請求項８記載のウェブオフセット大判新聞印刷機。
【請求項１９】
３セクション大判新聞用紙を印刷する方法において、
１つの版胴から３つの印像をウェブに形成するステップと、
折り装置において３セクション新聞用紙を収集するステップと、
新聞の面が、少なくとも９インチの高さを有しかつ新聞におけるフラップの高さよりも大きくなるように、新聞における折目をずらすステップとを有することを特徴とする、３セクション大判新聞用紙を印刷する方法。
【請求項２０】
前記折目をずらすステップが、新聞をくわえ折り装置又はロータリブレード折り装置において折り畳むことによって行われる、請求項１９記載の３セクション大判新聞用紙を印刷する方法。
【請求項２１】
くわえ折り位置が、１０．５インチの高さを備えた新聞面を形成するように設定されている、請求項２０記載の３セクション大判新聞用紙を印刷する方法。
【請求項２２】
くわえ折り位置が、面の高さとフラップの高さとがほぼ同じになるように折目を形成するように設定されている、請求項２０記載の３セクション大判新聞用紙を印刷する方法。
【請求項２３】
ロータリブレード折り装置が、１０．５インチの高さを備えた新聞面を形成するように設定されている、請求項２０記載の３セクション大判新聞用紙を印刷する方法。
【請求項２４】
ロータリブレード折り装置が、面の高さとフラップの高さとがほぼ同じになるように折目を形成するように設定されている、請求項２０記載の３セクション大判新聞用紙を印刷する方法。
【請求項２５】
刷版二枚型大判新聞印刷機を刷版三枚型大判印刷機へ変換する方法において、
刷版二枚型大判印刷機のために使用されたものと同じ円周を有する版胴の周囲に３つの印像を提供するステップと、
該３つの印像をウェブに印刷するステップと、
ウェブから大判ページを形成するステップと、
横折りされた大判ページの一方の側が、刷版二枚型大判新聞印刷機によって印刷された新聞のうちの１つと同じ長さを有する一方で、他方の側がより短くなるような位置において、大判ページを横折りするステップとを有することを特徴とする、刷版二枚型大判新聞印刷機を刷版三枚型大判印刷機へ変換する方法。
【請求項２６】
前記一方の側が、少なくとも９インチの長さであり、他方の側が、６．５インチ未満の長さである、請求項２５記載の刷版二枚型大判新聞印刷機を変換する方法。
【請求項２７】
さらに、大判新聞の３つのセクションを収集するためにコレクトモードにおいて折り装置を運転する、請求項２５記載の刷版二枚型大判新聞印刷機を変換する方法。
【請求項２８】
大判新聞を印刷する方法において、
印刷機の印像キャリヤの周囲に３つの印像を提供するステップと、
該３つの印像をウェブに印刷するステップと、
ウェブから大判ページを形成するステップと、
大判ページの３つのセクションを収集するためにコレクトモードで折り装置を運転するステップと、
セクションを中央からずれたところで横折りするステップとを有することを特徴とする、大判新聞を印刷する方法。
【請求項２９】
３セクション大判新聞を印刷する方法において、
１つの印像キャリヤから３つの印像をウェブに形成するステップと、
折り装置において３セクション新聞を収集するステップと、
折目が、新聞の上縁又は下縁から約２５％〜約４１％の間に位置するように、新聞における折目をずらすステップとを有しており、新聞の面が、新聞におけるフラップの高さよりも大きな高さを有することを特徴とする、３セクション大判新聞を印刷する方法。
【発明の詳細な説明】
【技術分野】
【０００１】
背景
本発明は、概して印刷機、特に大判新聞印刷機に関する。
【０００２】
新聞産業は、高い新聞用紙コストを受けてきた。通常高さ約２２インチ（折り畳まれた時は１１インチ）（１インチは２５．４ｍｍ）、幅１５インチの大判新聞は、例えば１２インチ等のより狭い幅又はタブロイド判に切り替えられてきた。
【０００３】
タブロイド判は、ステッチャなしでセクションを形成することが困難であり、入紙挿入も困難であるという欠点を有する。
【０００４】
典型的な大判新聞紙は、ストレートモード又はコレクトモードで運転してよい。刷版二枚型版胴には、２枚の刷版が取り付けられている。コレクトモードでは、刷版二枚型版胴は、偶数のセクションを生じ、各フォーマが２つのセクションを生じる。
【０００５】
現在、３セクション大判新聞が、印刷後プロセスとしての入紙挿入に関連するストレートモード製造によって、又は手作業製造によって、製造される。
【０００６】
発明の簡単な概要
本発明は、大判新聞フォーマットにおいて円周方向に３つの印像を有する印像キャリヤを有する大判新聞印刷機を提供する。印像キャリヤは、３つの印像をウェブに転写する。折り装置は、ウェブを縦折りし、ウェブを大判新聞ページに断裁する。折り装置は、大判新聞ページを中心からずれたところで横折りする胴を有している。横折りは、新聞の縁部から４１％以下、又は新聞紙の縁部から５９％以上のところに配置されてよい。横折りは、新聞の縁部から９インチ以上のところに配置されてもよい。横折りは、好適には、新聞の縁部から１０．５インチのところに配置されている。
【０００７】
本発明は、少なくとも１つの刷版を支持する版胴と、少なくとも１つのブランケットを支持するブランケット胴とを有する、ウェブオフセット大判新聞印刷機も提供する。版胴は、大判新聞判型において円周方向に少なくとも３つの印像を有している。少なくとも１つのブランケットはウェブに接触し、少なくとも３つの印像をウェブに印刷する。折り装置は、ウェブを縦折りし、ウェブを大判新聞に断裁し、折り装置は、大判新聞を中心がずれたところで横折りする胴を有している。
【０００８】
本発明は、さらに、１つの版胴からウェブに３つの印像を形成し、３セクション新聞を折り装置において収集するステップと、新聞の面が、少なくとも９インチの高さを有しかつ新聞におけるフラップの高さよりも大きくなるように、新聞における折目をずらすステップとを有する、３セクション大判新聞を印刷する方法を提供する。
【０００９】
本発明は、さらに、刷版二枚型大判印刷機のために使用されるものと同じ円周を有する版胴の周囲に３つの印像を提供するステップと、ウェブに３つの印像を印刷するステップと、ウェブから大判ページを形成するステップと、横折りされた大判ページの一方の面が、刷版二枚型大判新聞印刷機によって印刷された新聞紙のうちの１つと同じ長さを有し、他方の面がより短くなるような位置において、かつ大判ページを横折りするステップとを有する、刷版二枚型大判新聞紙印刷機を刷版三枚型大判印刷機に変換する方法を提供する。
【００１０】
本発明は、付加的に、印刷機の印像キャリヤの周囲に３つの印像を提供するステップと、ウェブに３つの印像を印刷するステップと、ウェブから大判ページを形成するステップと、大判ページの３つのセクションを収集するために折り装置をコレクトモードにおいて運転するステップと、セクションを中心がずれたところで横折りするステップとを有する、大判新聞紙を印刷する方法を提供する。
【００１１】
さらに、本発明は、ウェブに１つの印像キャリヤから３つの印像を形成するステップと、３セクション新聞を折り装置において収集するステップと、折目が、新聞の上縁又は下縁から約２５％〜約４１％に位置し、かつ新聞紙が、新聞におけるフラップの高さよりも大きな高さを有するように、新聞紙における折目をずらすステップを有する、３セクション大判新聞紙を印刷する方法を提供する。
【００１２】
本発明の好適な実施形態を図面を参照して説明する。
【図面の簡単な説明】
【００１３】
【図１】本発明の好適な実施形態による印刷機を示す図である。
【図２Ａ】刷版一枚型印刷胴を備えた従来の版胴を示す図である。
【図２Ｂ】刷版二枚型印刷胴を備えた従来の版胴を示す図である。
【図３Ａ】本発明の好適な実施形態による刷版三枚型印刷胴を示す図である。
【図３Ｂ】本発明の好適な実施形態による刷版三枚型印刷胴を示す図である。
【図４Ａ】図２Ａに示した従来の印刷胴のための配列を示す図である。
【図４Ｂ】図２Ｂに示した従来の印刷胴のための配列を示す図である。
【図５Ａ】本発明の好適な実施形態による、図３Ａに示した印刷胴のための配列を示す図である。
【図５Ｂ】本発明の好適な実施形態による、図３Ｂに示した印刷胴のための配列を示す図である。
【図６】図１に示された印刷機のクロスカッタ、収集胴、及びくわえ胴とを示す図である。
【図７Ａ】コレクトモード製造の間に運転している図６に示された収集胴を概略的に示している。
【図７Ｂ】コレクトモード製造の間に運転している図６に示された収集胴を概略的に示している。
【図７Ｃ】コレクトモード製造の間に運転している図６に示された収集胴を概略的に示している。
【図７Ｄ】コレクトモード製造の間に運転している図６に示された収集胴を概略的に示している。
【図８】本発明の好適な実施形態に従って形成された新聞紙を示す図である。
【図９】本発明の好適な実施形態に従って形成された新聞紙を示す図である。
【図１０】本発明の好適な実施形態に従って形成された新聞紙を示す図である。
【図１１】本発明の好適な実施形態に従って形成された新聞紙を示す図である。
【図１２】本発明の好適な実施形態に従って形成された新聞紙を示す図である。
【図１３】本発明の好適な実施形態に従って形成された新聞紙を示す図である。
【図１４】本発明の好適な実施形態に従って形成された新聞紙を示す図である。
【図１５】本発明の好適な実施形態に従って形成された新聞紙のための寸法の表である。
【００１４】
好適な実施形態の詳細な説明
本特許出願人は、新聞用紙コストを低減し、大判新聞紙の新聞用紙コストを低減し、標準サイズの入紙を許容し、３つの大判セクションがコレクトランの間に形成されることを可能にする新規の方法を開発した。
【００１５】
本発明は、既存の刷版二枚型大判印刷機に対する改造として極めて有利である。例えば、２つの２２インチ大判セクションを印刷していた４４インチ円周の版胴を、例えばそれぞれ１０．５インチ前面及び４．１７インチ裏面を備える１４と２／３インチ大判セクションを印刷するように変換することができる。折り装置におけるコレクト運転の間、入紙挿入の必要なしに３つのセクションを提供することができる。
【００１６】
刷版二枚型版胴の代わりに刷版三枚型版胴を使用することによって、版胴ごとにより多くのページが印刷され、ウェブごとに３つのセクションが形成されてよい。大判新聞のページ容量を、付加的な印刷タワー及び折り装置等の関連した補助機器に頼ることなく、版胴ごとに５０％多いページを提供することによって、効率的に増加させることができる。
【００１７】
図１は、ウェブ１００に印刷するシアン、マゼンタ、イエロー及びブラックの印刷ユニットを備えた、例えばオフセット平版ウェブ印刷セクションであってよい印刷セクションを有する大判新聞紙印刷機１０を示している。各印刷ユニットは、対応する刷版１２，１４，１６，１８を支持した版胴２２，２４，２６，２８を有している。版胴２２，２４，２６，２８は、本発明に従って円周方向で１つの刷版又は円周方向で３つの刷版を有していてよい。各刷版１２，１４，１６，１８は、円周方向で１つの刷版の場合に４４インチの円周を有している。
【００１８】
ウェブ１００は、スリッタ１２０によってリボンに断裁され、これらのリボンは、ローラ１３０において、潜在的に他のリボン１１０と組み合わされる。次いで、ウェブ１００のリボンは、折り装置８０に進入し、リボンを縦折りするためのフォーマ１４０へ移動する。次いで、折り装置８０のクロスカッタ１５０は、リボンを大判新聞ページに断裁し、これらの大判新聞ページは、前縁において収集胴１６０によって掴まれる。収集胴１６０はピンを有しており、これらのピンは、選択的に回動させられ、横折りのためにページを解放するか、又は他のページと一緒に収集するためにページを保持する。次いで、新聞９２は、折り胴、例えばくわえ胴１７０内へ押し込まれて横折りされる。折りの後、新聞９２は、例えば羽根車、ベルトコンベヤ、グリッパピックアップへ解放され、ポケットコンベヤ９８へ排出されるが、ここでは簡略にするためにポケットコンベヤのみが示されている。羽根車及びベルトコンベヤは、例えば、引用することによって本明細書に記載されたものとする米国特許第６７３３３４１号明細書に記載されている。
【００１９】
制御装置９０は、収集胴１６０のピンと折りブレードとの間の位相を設定し、折り胴１７０のくわえ装置の位相を制御してよく、これにより、横折り距離を設定することができる。位相制御により、横折りは、新聞の面が例えば少なくとも９インチの高さを有するように設定されてよい。好適には、横折りは、新聞紙の面が１０．５インチの高さを有するように設定される。横折りは、新聞紙の縁部から４１％以下又は新聞紙の縁部から５９％以上のところに配置されてよい。オフセット折りは、有利には、例えばより長い側を提供することによって、より小さな判の新聞が標準的な入紙を受容できるようにする。択一的に、横折り位置を機械的に設定してよい。
【００２０】
つまり、依然として新聞が標準的な広告入紙を受容できるようにしつつ、例えば１４．６７インチの高さを有する大判新聞を形成することができる。大判判型の利点を維持しながら、（２２〜１４．６７）／２２又は３３パーセントの新聞用紙節約を有利には達成することができる。１つの利点は、コレクトモードを使用することによって、ステッチング又は別個の入紙挿入なしにセクショニングを可能にすることを含む。つまり、本発明の刷版三枚型印刷機は、別の入紙挿入なしに、３つの大判セクション、例えば、主セクション、スポーツセクション、及びビジネスセクションを提供することができる。
【００２１】
例えば、従来技術に示されているように、図２Ａは、ストレートモード運転のための１つの大判新聞印刷胴構成を示している。版胴３２２には刷版３１２が取り付けられている。版胴３２２の一回転は、刷版３１２の１つの印像を印刷する。
【００２２】
図２Ｂ（従来技術）において、版胴３２４は、刷版二枚型版胴であり、２つの刷版３１２，３１２′が取り付けられている。この刷版二枚型構成は、ストレートモード製造又はコレクトモード製造のために使用される。版胴３２４の一回転は、各刷版３１２，３１２′から１つの印像を製造し、つまり、刷版二枚型印刷胴３２４の一回転は、図２Ａに示された印刷胴３２２の２倍のページ数を製造する。
【００２３】
版胴、及び版胴に取り付けられた刷版は、通常、４４インチの円周を有している。図２Ｂに示された典型的な刷版二枚型版胴は、１つの版胴３２４の周囲に２つの刷版３１２，３１２′を支持しており、２２インチの高さを有する新聞ページを印刷する。
【００２４】
図３Ａ及び図３Ｂは、本発明による刷版三枚型印刷胴の好適な実施形態を示している。図３Ａにおいて、３つの刷版１２，１２′，１２′′が版胴２２に取り付けられている。図３Ｂにおいて、１つの刷版１１２が版胴１２２に取り付けられている。しかしながら、刷版１１２は、３つの別個の大判ページ印像を有している。つまり、版胴２２の一回転は３つの印像、すなわち刷版１２，１２′，１２′′からそれぞれ１つの印像を提供し、版胴１２２の一回転は、それぞれ刷版１１２から生ぜしめられた３つの印像を提供する。刷版１２，１２′，１２′′は、それぞれ同じ印像を印刷してもよいし、それぞれ異なる印像を印刷してもよい。刷版１１２における印像も、それぞれ同じであってもよいし、それぞれ異なっていてもよい。版胴２２，１２２は、４８インチの幅を有しており、それぞれ幅方向で４つの印像を支持していてよい。４８インチ幅のウェブを縦断ちすることによって、それぞれ２４インチの幅を有する２つのリボンが提供され、これらのリボンを組合せてフォーマ折りした後には、１２インチ幅の８ページセクションを製造することができる。
【００２５】
図３Ａ及び図３Ｂに示された本発明の好適な実施形態において、版胴２２，１２２は刷版三枚型版胴であり、４２〜５０インチの円周を有していて、円周には刷版が取り付けられているが、円周は最も好適には４４インチである。刷版三枚型胴２２，１２２によって印刷される新聞ページは、約１４〜１６．６インチの高さを有していてよいが、高さは最も好適には１４．６７インチである。
【００２６】
図４Ａ及び図４Ｂは、従来の刷版二枚型新聞印刷機におけるウェブにおけるセクションページの配置を、それぞれストレートモード（図４Ａ）製造と、コレクトモード（図４Ｂ）製造とで示している。ストレート製造では、同じ印像"Ａ"が繰り返し印刷される。この場合、版胴３２４（図２Ｂ）は、刷版３１２及び３１２′が同じ印像、つまり印像Ａをウェブに印刷するようにストレートモードで運転している。つまり、一回転は２つの同じ印像Ａを製造する。
【００２７】
図４Ｂのコレクト製造では、刷版３１２が印像Ａを有しているのに対し、刷版３１２′は第２の印像Ｂを有している。一回転は２つの別個の印像Ａ及びＢを製造する。
【００２８】
本発明の好適な実施形態によれば、図５Ａ及び図５Ｂは、それぞれストレートモード（図４Ａ）製造及びコレクトモード（図４Ｂ）製造における刷版三枚型印刷機におけるセクションページの配置を示している。ストレート製造の場合、３つの同じ印像"Ａ"が印刷される。つまり、刷版１２，１２′，１２′′（図３Ａ）にはそれぞれ印像"Ａ"が形成されている。択一的に、刷版１１２には、ストレートモードにおいて３つの印像"Ａ"が形成される。ストレートモードで運転する刷版三枚型印刷機のための折り装置は、ページ長さに合致するカットオフを備えた従来の刷版一枚型及び刷版二枚型印刷機に適した折り装置と同じであってよい。
【００２９】
コレクト製造の間の配置が図５Ｂに示されている。印刷胴２２又は１２２の一回転は、３つの別個の印像Ｃ，Ｂ及びＡを製造する。この場合、刷版１２，１２′及び１２′′にはそれぞれ印像Ｃ，Ｂ及びＡが形成されているのに対し、刷版１１２には３つの別個の印像Ｃ，Ｂ及びＡが形成されている。コレクトモードで運転する刷版三枚型印刷機のための折り装置は、通常の２つではなく、３つのセクションを収集することができなければならない。
【００３０】
適切な折り装置は、４部分コレクト、４部分くわえ装置、又は７部分コレクト、７部分くわえ装置等のコレクト及びくわえ折り胴ジオメトリを有してよく、新聞セクションを収集及び解放するための連接ピンを有してよい。
【００３１】
図６は、スパイダー若しくはグリッパ支持体に配置されていてよいピンの４つのセット１６９−１，１６９−２，１６９−３，１６９−４と、折りブレード支持体によって作動させられてよい４つの折りブレード１６７とを有する収集胴１６０を備えた折り装置８０の一部を示している。収集胴１６０の円周は、新聞紙の高さの約４倍、例えば４×１４．６７インチ、つまり５８．７インチであるべきである。つまり、折りブレード１６７は、大判新聞の折りの短いほうの側に対応する、回転方向でピンのセット１６９−１，１６９−２，１６９−３，１６９−４から距離Ｄ、例えば４．１７インチに配置することができる。
【００３２】
ウェブ１００は、上流で、印像Ｃ，Ｂ及びＡが印刷されており、リボン１０４，１０６に縦断ちされ、対応するセクションＣ，Ｂ及びＡを形成するように組み合わされている。刃１５２を有するクロスカッタ１５０が、ピンのセット（以下、ピン１６９−１，１６９−２，１６９−３，１６９−４と呼ぶ）によって収集胴１６０にピン留めされたリボン１０４，１０６を断裁する。つまり、セクションＣは、ピン１６９−１によってピン留めされ、所望の高さ、例えば１４．６７インチに１５２−１によって断裁されている。第２の区分Ｂは、ピン１６９−２によってピン留めされており、刃１５２−２によって所望の長さに断裁される。ストレートモード製造において、各ピン１６９−１，１６９−２，１６９−３，１６９−４は、１つのセクションのみを集める。コレクトモード製造において、収集胴１６０は、回転し続け、各ピン１６９−１，１６９−２，１６９−３，１６９−４は、所望の数のセクションを収集し続ける。所望の３つのセクションのそれぞれが収集された後、折りブレード１６７は、くわえ胴１７０に設けられたくわえ装置１７２と協働し、収集されたセクションをくわえ装置１７２内へ折り込む。
【００３３】
図７Ａから図７Ｄまでは、コレクトモード作動中に運転している収集胴１６０を、それぞれ０°、９０°、１８０°、２７０°の位置における４分の１回転だけ回転させられた状態で概略的に示している。第１の新聞９２は、ピン１６９−１においてピン留めされた３つのセクション、すなわち、セクションＡと、セクションＢと、セクションＣとを有するように収集されている。セクションＣは、新聞９２のバックセクションであり、最初に、最も近い胴１６０に収集される。セクションＡは、新聞９２のフロントセクションであり、最後に収集される。図７Ａに示されているように、収集される第１のセクション、すなわちセクションＣと、収集される第２のセクション、すなわちセクションＢと、収集される第３のセクション、すなわちセクションＡとは、ピン１６９−１において収集されている。ピン１６９−１において収集された新聞９２は、くわえ胴１７０に押し込まれ、さらに下流へ搬送される。
【００３４】
図７Ｂに示されているように、収集胴１６０は９０°回転しており、新聞９２はくわえ胴１７０（図６）に押し込まれており、新たなセクションＣがピン１６９−１に収集されている。第２の新聞９２′は、ピン１６９−２において収集され、くわえ折り装置１７０に押し込まれる。図７Ｃは、収集胴１６０がさらに４分の１回転した時にピン１６９−４においてセクションＣの上に収集されているセクションＢを示している。図７Ｄに示された胴の位置２７０°において、第２の新聞９２′はくわえ折り装置（図６）に押し込まれ、セクションＡがセクションＢ及びＣの上に収集された時に、第３の新聞９２′′がピン１６９−３に収集される。
【００３５】
制御装置９０（図１）は、第１のサーボモータを介して折りブレード１６７の位相を制御し、第２のサーボモータを介して１７２の位相に一致するように折りブレード支持体の位相を制御する。第１のサーボモータは、折りブレード１６７に対するピンのセット１６９−１，１６９−２，１６９−３，１６９−４の位置を調整するために制御装置９０によって制御されてよい。制御装置９０は、羽根車、あらゆる後続のコンベヤ、インサータフィーダ、及びポケットコンベヤ９８も制御してよい。インサータフィーダからの入紙は、好適には、例えば１０．５インチの入紙を含む。つまり、１０．５インチの入紙を備えた大判新聞が形成されてよい。インサータは、例えば、引用したことにより本明細書に記載したものとする米国特許第６０８２７２４号明細書に記載されたものと同様のものであってよい。
【００３６】
折り装置８０は、ピンの４つのセットと、４つの折りブレードとを有する収集胴を備えて示されているが、ピンの７つのセットと、７つのくわえ装置とを有する別の構成も可能である。さらに、折り装置は、ピン及び折りブレードを備えた収集胴を備えて示されているが、ロータリ折りブレード及び折りローラを用いる折り装置等の別の構成、いわゆるロータリブレード折り装置も可能である。その場合、くわえ胴の代わりに、収集胴から折り畳まれた折丁を受け取る折りローラが用いられる。ロータリブレード折り装置が記載されている米国特許第６６８８２２４号明細書は、例えば、引用したことにより本明細書に記載されたものとする。
【００３７】
さらに、図１に示された印刷機は、ウェブオフセット印刷機である。しかしながら、印刷機は、フレキソ印刷機であってよく及び／又はウェブに直接に印刷する印像キャリヤを有していてよい。
【００３８】
図８は、本発明による、横折り９４と縦折り９６とを有する大判新聞９２の斜視図を示している。
【００３９】
図９は、大判新聞９２の正面図を示している。新聞９２は、新聞９２が縦折りされているが横折りされていない場合、高さＨ0と、幅Ｗ1とを有している。高さＨ0は、例えば１４．６７インチであってよく、幅Ｗ1は、例えば１２．０インチであってよい。幅は、例えば１０．０〜１２．５インチであってもよい。高さＨ0は、横折り９４よりも上側の高さＨ1と、横折り９４より下側の高さＨ2とを含んでいる。高さＨ1は、例えば１０．５インチ、つまり新聞高さＨ0の７１．６％であってよい。高さＨ2は、例えば４．１７インチ、つまり新聞高さＨ0の２８．４％であってよい。縁部９３は、ピン留めされる又は掴まれる前縁であり、縁部９６は縦折りされた縁部であり、縁部９５は、縦折りされた縁部とは反対側の縁部である。
【００４０】
別の好適な実施形態においては、横折りは、新聞の縁部９３から４１％以下、若しくは新聞の縁部９３から５９％以上のところに配置されていてよい。つまり、高さＨ1は、合計新聞高さＨ0の５９％以上又は４１％以下であってよい。その結果、高さＨ2は、合計新聞高さＨ0の４１％以下又は５９％以上であってよい。横折り９４は、新聞の縁部から９インチ以上のところに配置されてもよい。横折り９４は、好適には、図９に示したように新聞の縁部から１０．５インチのところに配置されており、横折り９４より上側の高さＨ1は、１０．５インチである（図９及び図１５参照）。
【００４１】
図１０は、横折り９４において折り畳まれた新聞９２の正面図を示している。新聞９２の高さＨ2は、新聞９２の高さＨ1の裏側に折り畳まれており、新聞９２の面９１の背後においてフラップを形成している。
【００４２】
図１１は、複数の入紙１０２を有する、図１１に示された新聞９２の後面図を示している。入紙１０２はフラップ９７の内側に配置されてよい。入紙１０２は、標準的なサイズの入紙であってよく、例えば高さが１０．５インチであり、新聞９２の高さＨ1と等しい。入紙１０２は、複数のサイズの組み合わせであってもよい。入紙は、引用したことにより本明細書に記載されたものとする米国特許第６０８２７２４号明細書に記載されているように、ホッパから供給されてよい。つまり、１０．５インチの入紙１０２を備えた大判新聞が形成されてよい。
【００４３】
図７及び図１２に示されているように、新聞９２は複数のセクションＡ，Ｂ，Ｃを有していてよい。各セクションＡ，Ｂ，Ｃは、新聞９２の所望のレイアウトに基づいてよい。例えば、セクションＡはニュース記事であってよく、セクションＢはスポーツ記事であってよく、Ｃはビジネス記事であってよい。各セクションＡ，Ｂ，Ｃは、複数のページ又はシートを有していてよい。本発明によれば、３の倍数のセクション、例えば、３つのセクション、６つのセクション、９つのセクション等が、新聞９２に含まれてよい。セクションは、例えば、エンターテイメント、科学、ファッション、世界の出来事、地方の出来事、料理等の記事であってよい。
【００４４】
新聞９２は、図１３に示されたように完全に広げられてよい。縦折り９６において広げられると、新聞９２は全幅Ｗ0を有する。全幅は、Ｗ0、例えば２４．０インチであってよい。縦折り９６は、全幅Ｗ0の中央、例えば新聞９２の縁部９５から１２．０インチのところに配置されていてよい。つまり、縦折り９６において折り畳まれると、新聞９２は、図９に示したように、例えば１２インチの幅Ｗ1を有する。
【００４５】
図１４及び図１５は、新聞９２と、本発明による様々な態様についての表を示している。寸法の表は例示であり、本発明はこれらに限定されない。つまり、新聞９２の面９１は、例えば１０．５０インチの高さＨ1を有していてよく、フラップ９７の高さＨ2は、例えば３．５０インチ〜６．０４インチで変化してよく、これに対して、入紙１０２は、依然として、本明細書に記載のように２１インチの標準的なカットオフ長さを有していてよい。新聞９２の全高Ｈ0は、例えば１４〜１６．５４インチであってよい。高さＨ1，Ｈ2は、それぞれ横折り１２から新聞の上端又は下端まで測定されてよい。メートル法換算値も図１５に示されている。
【００４６】
刷版三枚型印刷機は、ストレートモードで印刷する場合に有利であってよい。なぜならば、印刷機の一回転ごとに、一周１ページ又は２ページを有する従来の印刷機の場合のように１つ又は２つではなく、３つの新聞を生じるので、製造速度がより高いからである。
【００４７】
刷版三枚型印刷機は、コレクトモードにおいて印刷する場合に有利であってよい。なぜならば、従来の刷版二枚型印刷機のように２の倍数（２，４，６，等．．．）ではなく、３の倍数（３，６，９，等．．．）でセクションが製造されるからである。さらに、幾つかの新聞印刷機は、ウェブのうちの一部においてのみ全色のための容量を有する。これらの場合、一周３ページを有することは、印刷機のカラーページ容量を、刷版二枚型印刷機よりも５０％増大する。
【００４８】
刷版三枚型形式に適応するための既存の印刷機の改造は、既存の刷版ロックアップ機構を必要に応じて付加、充填又は除去することによって行われてよい。刷版ロックアップ機構は、例えば、印像を印刷するための適切な表面を提供するために空所を充填するために、ガラス繊維又は別の適切な材料を加えることによって充填されてよい。択一的に、空所を充填するために胴に金属バーが溶接されてよい。残りの空所は、適切な表面を提供するために樹脂が充填されてよい。
【００４９】
択一的に、ロックアップ装置は胴から物理的に除去されてよい。胴は、次いで、刷版を、画像形成を行うことができるように胴に取り付けることができるように、充填又は修理されてよい。版胴の周囲の１つの刷版のために、刷版は今や１つ又は２つの印像ではなく３つの印像が形成される。さらに、３つの印像を印刷するように設計された新たな版胴が使用されてもよい。
【００５０】
前記明細書において、発明は、特定の典型的な実施形態及び実施例を引用して説明された。しかしながら、以下の請求項に示された発明のより広い精神及び範囲から逸脱することなく前記実施形態及び実施例に様々な変更を加えてよいことは明らかである。したがって、明細書及び図面は、制限的な意味ではなく例示であるとみなすべきである。
【図１】
2011519759.tif 000003
【図２Ａ】
2011519759.tif 000004
【図２Ｂ】
2011519759.tif 000005
【図３Ａ】
2011519759.tif 000006
【図３Ｂ】
2011519759.tif 000007
【図４Ａ】
2011519759.tif 000008
【図４Ｂ】
2011519759.tif 000009
【図５Ａ】
2011519759.tif 000010
【図５Ｂ】
2011519759.tif 000011
【図６】
2011519759.tif 000012
【図７Ａ】
2011519759.tif 000013
【図７Ｂ】
2011519759.tif 000014
【図７Ｃ】
2011519759.tif 000015
【図７Ｄ】
2011519759.tif 000016
【図８】
2011519759.tif 000017
【図９】
2011519759.tif 000018
【図１０】
2011519759.tif 000019
【図１１】
2011519759.tif 000020
【図１２】
2011519759.tif 000021
【図１３】
2011519759.tif 000022
【図１４】
2011519759.tif 000023
【図１５】
2011519759.tif 000024
【手続補正書】
【提出日】平成23年1月5日(2011.1.5)
【手続補正１】
【補正対象書類名】図面
【補正対象項目名】全図
【補正方法】変更
【補正の内容】
【図１】
2011519759.tif 000025
【図２Ａ】
2011519759.tif 000026
【図２Ｂ】
2011519759.tif 000027
【図３Ａ】
2011519759.tif 000028
【図３Ｂ】
2011519759.tif 000029
【図４Ａ】
2011519759.tif 000030
【図４Ｂ】
2011519759.tif 000031
【図５Ａ】
2011519759.tif 000032
【図５Ｂ】
2011519759.tif 000033
【図６】
2011519759.tif 000034
【図７Ａ】
2011519759.tif 000035
【図７Ｂ】
2011519759.tif 000036
【図７Ｃ】
2011519759.tif 000037
【図７Ｄ】
2011519759.tif 000038
【図８】
2011519759.tif 000039
【図９】
2011519759.tif 000040
【図１０】
2011519759.tif 000041
【図１１】
2011519759.tif 000042
【図１２】
2011519759.tif 000043
【図１３】
2011519759.tif 000044
【図１４】
2011519759.tif 000045
【図１５】
2011519759.tif 000046
【国際調査報告】
2011519759.tif 000047